(57)【要約】      （修正有）【課題】中栓の取り外し操作において容器の長さに変動がなく、分離ごみが生じることのない簡素化された二剤混合容器を提供する。【解決手段】上収納部の内容物を下収納部の収納空間に落下させ内容物を混合する容器において、上収納部と下収納部との間に一端が下収納部の口部に回転可能に保持され、他端が上収納部の外壁に回転不能に連係保持される中間筒体設ける。この中間筒体は、上収納部及び下収納部に跨ってそれらを取り囲む外側環状体と、この外側環状体の内側で一体連結して上収納部の開口に嵌合する第１の環状体と、上収納部の内容物を該開口を経て下収納部へ落下させる通路rを有しその外壁にねじ部を有する第２の環状体からなるものとする。そして、第２の環状体に、第２の環状体のねじ部に係合し通路rを閉塞させて上収納部の収納空間と下収納部の収納空間とを遮断する中栓を設け、中栓の外側壁面を、下収納部の口部内壁面に連係する。【選択図】図１
2006232322.tif 000002
【特許請求の範囲】
【請求項１】
内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって内容物を混合する容器であって、
前記上収納部と下収納部との相互間に、一端が該下収納部の口部に回転可能に保持され、他端が上収納部の外壁に回転不能に連係保持される中間筒体を設け、
前記中間筒体は、上収納部及び下収納部に跨ってそれらを取り囲む外側環状体と、この外側環状体の内側で一体連結して上収納部の開口に嵌合する第１の環状体と、上収納部の内容物を該開口を経て下収納部へ落下させる通路を有しその外壁にねじ部を有する第２の環状体からなり、  
前記第２の環状体に、該第２の環状体のねじ部に係合し前記通路を閉塞させて上収納部の収納空間と下収納部の収納空間とを遮断する中栓を設け、
前記中栓の外側壁面を、下収納部の口部内壁面に連係してなることを特徴とする二剤混合容器。
【請求項２】
内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって内容物を混合する容器であって、
前記上収納部と下収納部との間にそれらを相互に回転可能に連結する中間筒体を設け、
前記中間筒体は、上収納部の開口につながる通路を備える筒体を有し該上収納部の外周壁に回転不能に嵌合保持される上部材と、一端が上部材の下側において回転可能に抜け保持され、他端が下収納部の口部に回転不能に嵌合保持される下部材からなり、
前記上部材の筒体の外側壁面にねじ部を設け、このねじ部に前記筒体の通路を閉塞させて上収納部の収納空間と下収納部の収納空間とを遮断する中栓をねじ止めし、
前記中栓の外側壁面を、下部材の内壁面に連係してなることを特徴とする二剤混合容器。
【請求項３】
前記相対回転を構成する部材の何れか一方でそれらの対向する壁面の間に、それらの相対的な回転を防止する廻り止め用のリブ又は溝を形成し、かつ、もう一方には前記リブ又は溝に係合する溝又はリブを形成したバージンリングを一体的に設ける、請求項１又は２記載の二剤混合容器。
【発明の詳細な説明】
【技術分野】
【０００１】
本発明は、二剤混合容器に関するものであり、パーツ数を削減して構造の簡素化を図り、二剤を混合する際の操作でもって容器の長さが変動することのない使い勝手の良い容器を提案しようとするものである。
【背景技術】
【０００２】
上下に形成された収納部に種類の異なる内容物をそれぞれ入れておき、使用時に収納部の一方を回転させることで各収納部を開通させて両内容物を混合する二剤混合容器は、毛染め液などの反応性の液体を入れたものに用いられているが、近年、お茶など飲料分野への用途の拡大が図られており、その需要は今後益々増大する傾向にある（例えば、特許文献１参照）。
【特許文献１】実用新案登録第２５６８９８９号明細書
【発明の開示】
【発明が解決しようとする課題】
【０００３】
ところで、従来の二剤混合容器は、部品点数が多く効率的な組立てができないことから製造コストの上昇が避けられない不具合があり、しかも、中栓を取り外す収納部の回転操作に伴って容器の長さ（全高）が変動（長くなったり短くなったりする）するため使い勝手が良いとは言えないのが現状であった。
【０００４】
また、この種の容器は、商品の流通段階での不正な開封を目視でもって確認できるように、バージンリングを備えたものが存在する（特許文献２参照）が、容器の開封に際して該バージンリングは容器から完全に切り離された分離ごみとして別途、廃棄処理されており、同一種類の素材を回収して資源の再利用を図る観点からも好ましくない。
【特許文献２】特開２００２−３２６６７１号公報
【０００５】
本発明の課題は、パーツ数の削減によって構造を簡素化するとともに、中栓の取り外しに際して容器の長さに変動がなく、容器の開封に際して分離ごみが生じることのない新規な二剤混合容器を提案するところにある。
【課題を解決するための手段】
【０００６】
本発明は、内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって内容物を混合する容器であって、
前記上収納部と下収納部との相互間に、一端が該下収納部の口部に回転可能に保持され、他端が上収納部の開口を形成する外壁に回転不能に連係保持される中間筒体を設け、
前記中間筒体は、上収納部及び下収納部に跨ってそれらを取り囲む外側環状体と、この外側環状体の内側で一体連結して上収納部の開口に嵌合する第１の環状体と、この第１の環状体につながり上収納部の内容物を該開口を経て下収納部の収納空間へ落下させる通路を有しその外壁にねじ部を形成した第２の環状体からなり、  
前記第２の環状体に、該環状体のねじ部に係合して前記通路を閉塞して上収納部の収納空間と下収納部の収納空間とを遮断する中栓を設け、
前記中栓の外側壁面を、下収納部の口部内壁面に連係してなることを特徴とする二剤混合容器である。
【０００７】
また、この発明は、内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって内容物を混合する容器であって、
前記上収納部と下収納部との間にそれらを相互に回転可能に連結する中間筒体を設け、
前記中間筒体は、上収納部の開口につながる通路を備える筒体を有し該上収納部の外周壁に回転不能に嵌合保持される上部材と、一端が上部材の下側において回転可能に抜け保持され、他端が下収納部の口部に回転不能に嵌合保持される下部材からなり、
前記上部材の筒体の外側壁面にねじ部を設け、このねじ部に前記筒体の通路を閉塞させて上収納部の収納空間と下収納部の収納空間とを遮断する中栓をねじ止めし、
前記中栓の外側壁面を、下部材の内壁面に連係してなることを特徴とする二剤混合容器である。
【０００８】
上記の構成になる容器において、前記相対回転を構成する部材の何れか一方でそれらの対向する壁面の間に、それらの相対的な回転を防止する廻り止め用のリブ又は溝を形成し、かつ、もう一方には前記リブ又は溝に係合する溝又はリブを形成したバージンリングを一体的に設けることができる。
【発明の効果】
【０００９】
中間筒体の第２の環状体にねじ止めされた中栓は、下収納部の口部の内側あるいはこの口部に回転不能に保持された下部材に連係しているため、上収納部あるいは下収納部の何れかを回転させることで該第２の環状体から抜け出しねじによる係合が解除されたところで該中栓は下収納部の収納空間へと落下することとなり、この時、中間筒体は、上収納部、下収納部の周りを回るだけであって、容器の長さが変動することはない。
【００１０】
バージンリングは、一体成形された相対回転を構成する部材の何れか一方から破断した後は廻り止め用のリブ又は溝に案内されて上又は下方向へと移動し、もう一方の部材にアンダーカット嵌合等により係留されることとなり、容器を開封しても該バージンリングが分離ごみとなることはない。
【発明を実施するための最良の形態】
【００１１】
以下、図面を用いて本発明をより具体的に説明する。
図１は本発明にしたがう二剤混合容器の実施の形態を容器の全体について示した図であり、図２は図１の要部拡大図である。
【００１２】
図において１は上収納部である。上収納部１は内容物を注出する注出口１ａを有し、底部を開口１ｂとして該開口１ｂと注出口１ａの相互間に内容物の収納空間Ｍを形成する。
【００１３】
２は注出口１ａにおいてねじ止めされるキャップ、３は上収納部１の下側に配置される下収納部である。この下収納部３は上収納部１の開口１ｂにつながる口部３ａを有し、底壁３ｂとの相互間において内容物の収納空間Ｍ１を別途に形成する。
【００１４】
４は一端が下収納部３の口部３ａに回転可能に保持され、他端が上収納部１の外壁に回転不能に連係保持される中間筒体である。この中間筒体４は上収納部１及び下収納部３に跨ってそれらを取り囲む外側環状体４ａと、この外側環状体４ａの内側で一体連結して上収納部１の開口１ｂに嵌合する第１の環状体４ｂと、この第１の環状体４ｂの下端につながる第２の環状体４ｃからなる。第２の環状体４ｃは上収納部１の内容物を該開口１ｂを経て下収納部へ落下させる通路rを有するもので、その外壁にはねじ部ｎが形成されている。
【００１５】
この中間筒体４の第１の環状体４ｂと外側環状体４ａとの間には、上向きに開放され上収納部１の開口１ｂを形作る外壁の突端が入りこむ溝ｍが形成されおり、第２の環状体４ｃと外側環状体４ａとの間には下向きに開放され下収納部３の口部３ａの突端が入りこむ溝ｍ１がインナーリングｉを介して形成されており、上収納部１と外側環状体４ａとの相互間にはそれらを回転不能に連係保持する縦溝（又は縦リブ）ｔとこの縦溝ｔに適合する縦リブ（又は縦溝）ｔ１が設けられている。
【００１６】
また、５は第２の環状体４ｃのねじ部ｎに係合し通路rを閉塞させて上収納部１の収納空間Ｍと下収納部３の収納空間Ｍ１を遮断する中栓である。この中栓５は第２の環状体４ｃの内壁面に嵌合する内筒５ａと、該第２の環状体４ｃのねじ部ｎに係合するねじ部ｎ１を有する外筒５ｂと、内筒５ａ及び外筒５ｂを下端において一体的につなぎ第２の環状体４ｃの通路rを閉塞させる底板５ｃからなっている。
【００１７】
さらに、６は中栓５の外側壁面に設けられた溝部（又は縦リブ）、７は下収納部３の口部３ａの内壁面に設けられ該溝部６に適合する縦リブ（又は溝部）である。図３に下収納部３の口部３ａにおけるＡ−Ａ断面を示すが、この溝部６、縦リブ７は中栓５の外側面を下収納部３の口部内壁面に連係させるもので、これにより該中栓５を下収納部３とともに回転させることができるようになっている。
【００１８】
８は中間筒体４の上端部内側に周方向に沿い一体的に設けられた突起（連続又は断続する突条でもよい）、９は上収納部１の外壁に周方向に沿い一体的に設けられた突起（連続又は断続する突条でもよい）である。この突起８、９よって上収納部１と中間筒体４が相互に抜け止め保持される。
【００１９】
また、１０は下収納部３の口部３ａの外側において周方向に沿い一体的に設けられた突起（連続又は断続する突条でもよい）、１１は中間筒体４の下端内側に周方向に沿い一体的に設けられた突起（連続又は断続する突条でもよい）である。この突起１０、１１によって中間筒体４と下収納部３が相互に抜け止め保持される。
【００２０】
上収納部１を中間筒体４とともに回転させるか、下収納部３を回転させると、中栓５は第２の環状体４ｃの周りで回転する。そうするとねじ部ｎ、ｎ１による係合が緩み、ねじ部による係合が解除されたとき該中栓５は第２の環状体４ｃから離脱して下収納部３の収納空間Ｍ１へと落下する。
【００２１】
図４、図５は本発明にしたがう二剤混合容器の他の実施の形態を示したものである。中間筒体４の外側環状体４ａは、第１の環状体４ｂと第２の環状体４ｃを一体的に備える上部材４ａ１と、この上部材４ａ１の凹部１２に回転可能に抜け止め保持され下収納部３の口部３ａに回転不能に嵌合させてその内壁面を中栓５の外側壁面に縦溝（又は縦リブ）６に縦リブ（又は縦溝）７′を介して連係させた下部材４ａ２にて構成することもできる。この場合、パーツ数は１つ増えることになるが、上掲図１〜３に示した構成になる容器において示したような縦リブ７（又は溝部）（下収納部３の口部３ａの内壁面に中栓５の外側壁面に連係させた縦リブ）を設ける必要がなく、下収納部３の形状の簡素化（金型形状の簡素化）が可能となる。
【００２２】
また、上記の構成になる容器は、上部材４ａ１の第２の環状体４ｃ上端につながる部位を水平部４ｄとし、下部材４ａ２の形状を該水平部４ｄに近接させた形状としている。これは、内容物を注出する際には容器を反転して注出することになるので、第２の環状体４ｃと下部材４ａ２とで形成される空間の存在が注出不能な内容物を生み出すこととなるが、上部材４ａ１の第２の環状体４ｃ上端につながる部位を水平部４ｄとし、下部材４ａ２の形状を該水平部４ｄに近接させた形状とすることで当該空間を小さくして、そこに入りこむ内容物の量を減らす。
【００２３】
図６〜図９に本発明にしたがう二剤混合容器のさらに他の実施の形態を示す。図における番号１３はバージンリングである。このバージンリング１３は、破断可能な連結片１４を介して中間筒体４（外側環状体４ａ）に一体成形されており、その先端（下端）内壁には下収納部３の外周壁に設けた縦リブ（あるいは縦溝）３ｃに適合して廻り止めを形成する縦溝（あるいは縦リブ）１３ａが設けられている。
【００２４】
また、図において１５はバージンリング１３の上端に設けられた傾斜付き凹部、１６は中間筒体４の下端に一体的に設けられ傾斜付き凹部１５に適合する形状を有する傾斜付き凸部である。
【００２５】
上記の二剤混合容器は、開封前の状態を図８に示す如く、バージンリング１３と中間筒体４が連結片１４を介して連結し、縦リブ３ｃ及び縦溝１３ａにより廻り止めされており、容器の開封前においては下収納部３と中間筒体（上収納部１を含む）４の相対的な回転は防止されている。
【００２６】
容器内の内容物を混合して使用に供すべく中間筒体４を回転させると、バージンリング１３の傾斜付き凹部１５が該中間筒体４の傾斜付き凸部１６の傾斜面に沿って移動し、このとき、図９に示すように、バージンリング１３は中間筒体４から切り離され、前記縦リブ（又は縦溝）３ｃに案内されて下方へと移動することとなり、その行き止まり端で図１０に示すように、縦溝（又は縦リブ）１３ａの基底面（縦リブの場合は頂面）及び縦リブ（又は縦溝）３ｃの頂面（溝の場合は基底面）に形成された小突起ｐ、ｐ′によりアンダーカット嵌合して下収納部３に係留され、これによりバージンリング１３が分離ごみとなることはない。
【００２７】
上記の例では、バージンリング１３を中間筒体４に連結片１４を介して連結した場合について示したが、該バージンリング１３は下収納部３に一体的に形成しておくことも当然可能であり、この場合、上記縦リブ（あるいは縦溝）３ｃと縦溝（あるいは縦リブ）１３ａの配置関係が逆転して設けられることとなり、その動きも下方への移動から上方への移動となる。バージンリング１３と中間筒体４の連結、あるいはバージンリング１３と下収納部３との連結は連結片１４によるものに限られず、破断可能であるならば薄肉部として一体成形してもよいのは言うまでもない。
【００２８】
縦溝１３ａを縦リブとして縦リブ３ｃ同士で廻り止めを構成してもよく、この場合、アンダーカット嵌合に係留するための小突起は縦リブの側面に設けることができる。また、縦リブ（あるいいは縦溝）３ｃ及び縦溝１３ａは少なくとも１つ設けることが可能であり、その設置個数は限定されない。
【００２９】
図１１、図１２は上掲図４、図５に示した容器にバージンリング１３を適用した実施の形態を示したものである。この容器は、バージンリング１３を、破断可能な連結片１４を介して上部材４ａ１に一体連結するとともに、バージンリング１３の先端（下端）内壁に、下部材４ａ２の外周壁に設けた縦リブ（あるいは縦溝）４ｅに適合する縦溝（あるいは縦リブ）１３ａを設けたものである。
【００３０】
この二剤混合容器は、容器の開封前は縦リブ４ｅとこれに適合する縦溝１３ａが廻り止めとなって上部材４ａ１（上収納部１を含む）と下部材４ａ２（下収納部３を含む）の相対的な回転を防止することが可能となっている（図８参照）。
【００３１】
容器内の内容物を混合して使用に供すべく上部材４ａ１又は下部材４ａ２を回転させると、バージンリング１３の傾斜付き凹部１５が該上部材４ａ１の傾斜付き凸部１６の傾斜面に沿って移動し、このとき、バージンリング１３は上部材４ａ１から切り離され、前記縦リブ（又は縦溝）４ｅに案内されて下方へと移動する（図９参照）こととなり、その行き止まり端で縦溝（又は縦リブ）１３ａの基底面（縦リブの場合は頂面）及び縦リブ（又は縦溝）４ｅの頂面（溝の場合は基底面）に形成された小突起によりアンダーカット嵌合して下部材４ａ２に係留され（図１０参照）、これによりバージンリング１３が分離ごみとなることはない。
【００３２】
上記の例では、バージンリング１３を中間筒体４の上部材４ａ１に連結片１４を介して連結した場合について示したが、該バージンリング１３は下部材４ａ２に一体的に形成しておくことも当然可能であり、この場合、上記縦リブ（あるいは縦溝）４ｅと縦溝（あるいは縦リブ）１３ａの配置関係が逆転して設けられることとなり、その動きも下方への移動から上方への移動となる。バージンリング１３と中間筒体４（上部材４ａ１、下部材４ａ２）との連結は連結片１４によるものに限られず、破断可能であるならば薄肉部として一体成形してもよいのは言うまでもない。
【産業上の利用可能性】
【００３３】
中栓を取り外すべく回転操作を施しても容器の長さは常に一定に保たれ、容器から切り離される分離ごみが生じることのない構造の簡素化された二剤混合容器が提供できる。
【図面の簡単な説明】
【００３４】
【図１】本発明にしたがう二剤混合容器の実施の形態を示した図である。
【図２】図１に示した容器の要部拡大図である。
【図３】図１に示した容器のＡ−Ａ断面を示した図である。
【図４】本発明にしたがう二剤混合容器の他の実施の形態を示した図である。
【図５】図４に示した容器の要部の断面図である。
【図６】本発明にしたがう二剤混合容器の第３の実施の形態を示した図である。
【図７】図６に示した容器の要部の断面図である。
【図８】図６に示した容器の開封前のバージンリングの状態を示した図である。
【図９】図６に示した容器の開封後におけるバージンリングの係留状態を示した図である。
【図１０】図９の要部断面を示した図である。
【図１１】本発明にしたがう第４の実施の形態を示した図である。
【図１２】図１１に示した容器の要部の断面図である。
【符号の説明】
【００３５】
１  上収納部
１ａ  注出口
１ｂ  開口
１ｃ  縦リブ
２  キャップ
３  下収納部
３ａ  口部
３ｂ  底壁
４  中間筒体
４ａ  外側環状体
４ａ１  上部材
４ａ２  下部材
４ｂ  第１の環状体
４ｃ  第２の環状体
４ｄ  水平部
４ｅ  縦リブ
５  中栓
５ａ  内筒
５ｂ  外筒
５ｃ  底板
６  溝部
７  縦リブ
７′縦リブ
８  突起
９  突起
１０  突起
１１  突起
１２  凹部
１３  バージンリング
１３ａ  縦リブ
【図１】
2006232322.tif 000003
【図２】
2006232322.tif 000004
【図３】
2006232322.tif 000005
【図４】
2006232322.tif 000006
【図５】
2006232322.tif 000007
【図６】
2006232322.tif 000008
【図７】
2006232322.tif 000009
【図８】
2006232322.tif 000010
【図９】
2006232322.tif 000011
【図１０】
2006232322.tif 000012
【図１１】
2006232322.tif 000013
【図１２】
2006232322.tif 000014